【手続補正書】
【提出日】平成31年2月27日(2019.2.27)
【手続補正１】
【補正対象書類名】特許請求の範囲
【補正対象項目名】全文
【補正方法】変更
【補正の内容】
【特許請求の範囲】
【請求項１】
方法であって、
−  第１のひな型と呼ばれる、第１のダイナミックレンジを有する画像のひな型を得ることであって、前記第１のひな型は、削減された冗長な情報を含む前記第１のダイナミックレンジを有する前記画像の表現である、前記ひな型を得ることと、
−  第２のひな型と呼ばれる、第２のダイナミックレンジを有する画像のひな型を、前記第２のダイナミックレンジを有する前記画像から決定することであって、前記第２のひな型は、削減された冗長な情報を含む前記第２のダイナミックレンジを有する前記画像の表現であり、前記第２のダイナミックレンジは前記第１のダイナミックレンジより低い、前記ひな型を決定することと、
−  前記第２のひな型と前記第２のダイナミックレンジを有する前記画像との間の変換マップを決定することと、
−  前記変換マップを前記第１のひな型に適用し、前記第１のダイナミックレンジを有する前記画像の再構築された画像を生成することと、
を含む、前記方法。
【請求項２】
前記再構築された画像を生成することは、前記第１のダイナミックレンジを有するアップサンプリングされた画像を生成するために、前記第２のダイナミックレンジを有する前記画像をアップサンプリングすることをさらに含む、請求項１記載の方法。
【請求項３】
−  前記第２のダイナミックレンジを有する推定された画像を、第１の反復のために前記第１のダイナミックレンジを有する前記画像から、または以降の反復のために前記第１のダイナミックレンジを有する補正された画像から得ること、
−  前記第２のダイナミックレンジを有する前記画像と前記第２のダイナミックレンジを有する前記推定された画像との推定誤差を決定すること、および
−  前記推定誤差に応答して、前記第１のダイナミックレンジを有する前記画像を補正し、前記第１のダイナミックレンジを有する前記補正された画像を得ること
のうちの少なくとも１つの反復を含む、請求項１又は２に記載の方法。
【請求項４】
復号する方法であって、
−  第２のダイナミックレンジを有する画像を復号することと、
−  第１のひな型と呼ばれる、第１のダイナミックレンジを有する画像のひな型を得ることであって、前記第１のひな型は、削減された冗長な情報を含む前記第１のダイナミックレンジを有する前記画像の表現であり、前記第２のダイナミックレンジは前記第１のダイナミックレンジより低い、前記ひな型を得ることと、
−  第２のひな型と呼ばれる、前記第２のダイナミックレンジを有する前記画像のひな型を、前記第２のダイナミックレンジを有する前記画像から決定することであって、前記第２のひな型は、削減された冗長な情報を含む前記第２のダイナミックレンジを有する前記画像の表現である、前記ひな型を決定することと、
−  前記第２のひな型と前記第２のダイナミックレンジを有する前記画像との間の変換マップを決定することと、
−  前記変換マップを前記第１のひな型に適用し、前記第１のダイナミックレンジを有する前記画像の再構築された画像を生成することと、
を含む、前記方法。
【請求項５】
前記再構築された画像を生成することは、前記第１のダイナミックレンジを有するアップサンプリングされた画像を生成するために、前記第２のダイナミックレンジを有する前記画像をアップサンプリングすることをさらに含む、請求項４に記載の方法。
【請求項６】
−  前記第２のダイナミックレンジを有する推定された画像を、第１の反復のために前記第１のダイナミックレンジを有する前記画像から、または以下の反復のために前記第１のダイナミックレンジを有する補正された画像から得ること、
−  前記第２のダイナミックレンジを有する前記画像と前記第２のダイナミックレンジを有する前記推定された画像との推定誤差を決定すること、および
−  前記推定誤差に応答して、前記第１のダイナミックレンジを有する前記画像を補正し、前記第１のダイナミックレンジを有する前記補正された画像を得ること
のうちの少なくとも１つの反復を含む、請求項４又は５に記載の方法。
【請求項７】
少なくとも１つのメモリと、１以上のプロセッサとを有するデバイスであって、前記１以上のプロセッサが、
−  第１のひな型と呼ばれる、第１のダイナミックレンジを有する画像のひな型を得ることであって、前記第１のひな型は、削減された冗長な情報を含む前記第１のダイナミックレンジを有する前記画像の表現である、前記ひな型を得、
−  第２のひな型と呼ばれる、第２のダイナミックレンジを有する画像のひな型を、前記第２のダイナミックレンジを有する前記画像から決定することであって、前記第２のひな型は、削減された冗長な情報を含む前記第２のダイナミックレンジを有する前記画像の表現であり、前記第２のダイナミックレンジは前記第１のダイナミックレンジより低い、前記ひな型を決定し、
−  前記第２のひな型と前記第２のダイナミックレンジを有する前記画像との間の変換マップを決定し、
−  前記変換マップを前記第１のひな型に適用し、前記第１のダイナミックレンジを有する前記画像の再構築された画像を生成する、
ように構成された、前記デバイス。
【請求項８】
前記１以上のプロセッサが、前記第１のダイナミックレンジを有するアップサンプリングされた画像を生成するために、前記第２のダイナミックレンジを有する前記画像をアップサンプリングするようにさらに構成された、請求項７に記載のデバイス。
【請求項９】
復号するためのデバイスであって、少なくとも１つのメモリと、１以上のプロセッサとを有し、前記１以上のプロセッサが、
−  第２のダイナミックレンジを有する画像を復号し、
−  第１のひな型と呼ばれる、第１のダイナミックレンジを有する画像のひな型を得ることであって、前記第１のひな型は、削減された冗長な情報を含む前記第１のダイナミックレンジを有する前記画像の表現であり、前記第２のダイナミックレンジは前記第１のダイナミックレンジより低い、前記ひな型を得、
−  第２のひな型と呼ばれる、前記第２のダイナミックレンジを有する前記画像のひな型を、前記第２のダイナミックレンジを有する前記画像から決定することであって、前記第２のひな型は、削減された冗長な情報を含む前記第２のダイナミックレンジを有する前記画像の表現である、前記ひな型を決定し、
−  前記第２のひな型と前記第２のダイナミックレンジを有する前記画像との間の変換マップを決定し、
−  前記変換マップを前記第１のひな型に適用し、前記第１のダイナミックレンジを有する前記画像の再構築された画像を生成する、
ように構成された、前記デバイス。
【請求項１０】
前記１以上のプロセッサが、前記第１のダイナミックレンジを有するアップサンプリングされた画像を生成するために、前記第２のダイナミックレンジを有する前記画像をアップサンプリングするようにさらに構成された、請求項９に記載のデバイス。
【請求項１１】
プロセッサによって実行されることが可能であり、下記方法を実施するためのプログラムコード命令を含むコンピュータプログラム製品が記録されている非一時的なコンピュータ可読媒体であって、前記方法は、
−  第１のひな型と呼ばれる、第１のダイナミックレンジを有する画像のひな型を得ることであって、前記第１のひな型は、削減された冗長な情報を含む前記第１のダイナミックレンジを有する前記画像の表現である、前記ひな型を得ることと、
−  第２のひな型と呼ばれる、第２のダイナミックレンジを有する画像のひな型を、前記第２のダイナミックレンジを有する前記画像から決定することであって、前記第２のひな型は、削減された冗長な情報を含む前記第２のダイナミックレンジを有する前記画像の表現であり、前記第２のダイナミックレンジは前記第１のダイナミックレンジより低い、前記ひな型を決定することと、
−  前記第２のひな型と前記第２のダイナミックレンジを有する前記画像との間の変換マップを決定することと、
−  前記変換マップを前記第１のひな型に適用し、前記第１のダイナミックレンジを有する前記画像の再構築された画像を生成することと、
を含む、前記非一時的なコンピュータ可読媒体。
【請求項１２】
前記再構築された画像を生成することは、前記第１のダイナミックレンジを有するアップサンプリングされた画像を生成するために、前記第２のダイナミックレンジを有する前記画像をアップサンプリングすることをさらに含む、請求項１１に記載の非一時的なコンピュータ可読媒体。
【手続補正２】
【補正対象書類名】明細書
【補正対象項目名】０２１７
【補正方法】変更
【補正の内容】
【０２１７】
コンピュータ可読記憶媒体は、１または複数のコンピュータ可読媒体内に含まれ、コンピュータによって実行可能なコンピュータ可読プログラムコードが含まれるコンピュータ可読プログラム製品の形態をとることができる。本明細書で使用されるコンピュータ可読記憶媒体は、情報を記憶するための本来固有の能力、ならびに情報をそこから取り出すための本来固有の能力を考えると、非一時的な記憶媒体と考えられる。コンピュータ可読記憶媒体は、たとえば、それだけには限らないが、電子、磁気、光、電磁、赤外線、もしくは半導体のシステム、装置、もしくはデバイス、または前述のものの任意の好適な組合せとすることができる。本原理を適用することができるコンピュータ可読記憶媒体のより特定の例を提供するが、以下、すなわちポータブルコンピュータディスク、ハードディスク、ランダムアクセスメモリ（ＲＡＭ）、読出し専用メモリ（ＲＯＭ）、消去可能プログラム可能な読出し専用メモリ（ＥＰＲＯＭもしくはフラッシュメモリ）、ポータブルコンパクトディスク読出し専用メモリ（ＣＤ−ＲＯＭ）、光記憶デバイス、磁気記憶デバイス、または前述のものの任意の好適な組合せは、当業者には容易に理解されるように、例示的なものにすぎず、網羅的なリストではないことを理解されたい。
［付記１］
第１のダイナミックレンジを有する少なくとも１つの画像を、前記第１のダイナミックレンジより低い第２のダイナミックレンジを有する画像から生成するための方法であって、
−  第１のひな型と呼ばれる、第１のダイナミックレンジを有する前記画像のひな型を得るステップ（１１）と、
−  第１のダイナミックレンジを有する前記画像を第２のダイナミックレンジを有する前記画像および前記第１のひな型から生成するステップ（１２）と、
を含む、前記方法。
［付記２］
第１のダイナミックレンジを有する前記画像を生成するステップ（１２）は、
−  第２のひな型と呼ばれる第２のダイナミックレンジを有する前記画像のひな型を、第２のダイナミックレンジを有する前記画像から決定するステップと、
−  前記第２のひな型と第２のダイナミックレンジを有する前記画像との間の変換マップを決定するステップと、
−  前記変換マップを前記第１のひな型に適用し、第１のダイナミックレンジを有する前記画像を生成するステップと、
を含む、付記１に記載の方法。
［付記３］
第１のダイナミックレンジを有する前記画像を生成するステップは、第１のダイナミックレンジを有するアップサンプリングされた画像を生成するために、第２のダイナミックレンジを有する前記画像をアップサンプリングすることをさらに含む、付記１又は２に記載の方法。
［付記４］
−  第２のダイナミックレンジを有する推定された画像を、第１の反復のために第１のダイナミックレンジを有する前記画像から、または以降の反復のために第１のダイナミックレンジを有する前記補正された画像から得るステップ、
−  第２のダイナミックレンジを有する前記画像と第２のダイナミックレンジを有する前記推定された画像との推定誤差を決定するステップ、および
−  前記推定誤差に応答して、第１のダイナミックレンジを有する前記画像を補正し、第１のダイナミックレンジを有する補正された画像を得るステップ
のうちの少なくとも１つの反復を含む、付記１から３のいずれかに記載の方法。
［付記５］
第１のダイナミックレンジを有する少なくとも１つの画像を復号するための方法であって、
−  前記第１のダイナミックレンジより低い第２のダイナミックレンジを有する画像を復号するステップ（４１１）と、
−  第１のひな型と呼ばれる、第１のダイナミックレンジを有する前記画像のひな型を復号するステップ（４１２）と、
−  第１のダイナミックレンジを有する前記画像を第２のダイナミックレンジを有する前記画像および前記第１のひな型から生成するステップ（４２）と、
を含む、前記方法。
［付記６］
第１のダイナミックレンジを有する前記画像を生成するステップは、
−  第２のひな型と呼ばれる第２のダイナミックレンジを有する前記画像のひな型を、第２のダイナミックレンジを有する前記画像から決定するステップと、
−  前記第２のひな型と第２のダイナミックレンジを有する前記画像との間の変換マップを決定するステップと、
−  前記変換マップを前記第１のひな型に適用し、第１のダイナミックレンジを有する前記画像を生成するステップと、
を含む、付記５に記載の方法。
［付記７］
第１のダイナミックレンジを有する前記画像を生成するステップは、第１のダイナミックレンジを有するアップサンプリングされた画像を生成するために、第２のダイナミックレンジを有する前記画像をアップサンプリングすることをさらに含む、付記５又は６に記載の方法。
［付記８］
−  第２のダイナミックレンジを有する推定された画像を、第１の反復のために第１のダイナミックレンジを有する前記画像から、または以下の反復のために第１のダイナミックレンジを有する前記補正された画像から得るステップ、
−  第２のダイナミックレンジを有する前記画像と第２のダイナミックレンジを有する前記推定された画像との推定誤差を決定するステップ、および
−  前記推定誤差に応答して、第１のダイナミックレンジを有する前記画像を補正し、第１のダイナミックレンジを有する補正された画像を得るステップ
のうちの少なくとも１つの反復を含む、付記５に記載の方法。
［付記９］
第１のダイナミックレンジを有する少なくとも１つの画像を符号化するための方法であって、
−  第１のひな型と呼ばれる、第１のダイナミックレンジを有する前記画像のひな型を決定するステップ（３１）と、
−  前記第１のダイナミックレンジより低い第２のダイナミックレンジを有する画像を得るステップ（３２）と、
−  第２のダイナミックレンジを有する前記画像を符号化するステップ（３３１）と、
−  前記第１のひな型を符号化するステップ（３３２）と、
を含む、前記方法。
［付記１０］
第１のダイナミックレンジを有する少なくとも１つの画像を、前記第１のダイナミックレンジより低い第２のダイナミックレンジを有する画像から生成するためのデバイスであって、
−  第１のひな型と呼ばれる、第１のダイナミックレンジを有する前記画像のひな型を得るためのモジュール（５１）と、
−  第１のダイナミックレンジを有する前記画像を第２のダイナミックレンジを有する前記画像および前記第１のひな型から生成するためのモジュール（５２）と、
を備える、前記デバイス。
［付記１１］
第１のダイナミックレンジを有する前記画像を生成することは、
−  第２のひな型と呼ばれる第２のダイナミックレンジを有する前記画像のひな型を、第２のダイナミックレンジを有する前記画像から決定することと、
−  前記第２のひな型と第２のダイナミックレンジを有する前記画像との間の変換マップを決定することと、
−  前記変換マップを前記第１のひな型に適用し、第１のダイナミックレンジを有する前記画像を生成することと、
を含む、付記１０に記載のデバイス。
［付記１２］
第１のダイナミックレンジを有する前記画像を生成することは、第１のダイナミックレンジを有するアップサンプリングされた画像を生成するために、第２のダイナミックレンジを有する前記画像をアップサンプリングすることをさらに含む、付記１０又は１１に記載のデバイス。
［付記１３］
第１のダイナミックレンジを有する少なくとも１つの画像を復号するためのデバイスであって、
−  前記第１のダイナミックレンジより低い第２のダイナミックレンジを有する画像を復号するためのモジュール（７１）と、
−  第１のひな型と呼ばれる、第１のダイナミックレンジを有する前記画像のひな型を復号するためのモジュール（７２）と、
−  第１のダイナミックレンジを有する前記画像を、第２のダイナミックレンジを有する前記画像および前記第１のひな型から生成するためのモジュール（７３）と、
を備える、前記デバイス。
［付記１４］
第１のダイナミックレンジを有する前記画像を生成することは、
−  第２のひな型と呼ばれる第２のダイナミックレンジを有する前記画像のひな型を、第２のダイナミックレンジを有する前記画像から決定することと、
−  前記第２のひな型と第２のダイナミックレンジを有する前記画像との間の変換マップを決定することと、
−  前記変換マップを前記第１のひな型に適用し、第１のダイナミックレンジを有する前記画像を生成することと、
を含む、付記１３に記載のデバイス。
［付記１５］
第１のダイナミックレンジを有する前記画像を生成することは、第１のダイナミックレンジを有するアップサンプリングされた画像を生成するために、第２のダイナミックレンジを有する前記画像をアップサンプリングすることをさらに含む、付記１３又は１４に記載のデバイス。
［付記１６］
第１のダイナミックレンジを有する少なくとも１つの画像を符号化するためのデバイスであって、
−  第１のひな型と呼ばれる、第１のダイナミックレンジを有する前記画像のひな型を決定するためのモジュール（６１）と、
−  前記第１のダイナミックレンジより低い第２のダイナミックレンジを有する画像を得るためのモジュール（６２）と、
−  第２のダイナミックレンジを有する前記画像を符号化するためのモジュール（６３）と、
−  前記第１のひな型を符号化するためのモジュール（６４）と
を備える、前記デバイス。
［付記１７］
プロセッサによって実行されることが可能であり、下記方法を実施するためのプログラムコード命令を含むコンピュータプログラム製品が記録されている非一時的なコンピュータ可読媒体であって、前記方法は、
−  第１のひな型（ｅｐｉｔｏｍｅ）と呼ばれる、第１のダイナミックレンジを有する画像のひな型を得るステップと、
−  第１のダイナミックレンジを有する前記画像を第２のダイナミックレンジを有する画像および前記第１のひな型から生成するステップと、
を含む、前記非一時的なコンピュータ可読媒体。
［付記１８］
第１のダイナミックレンジを有する前記画像を生成するステップは、
−  第２のひな型と呼ばれる第２のダイナミックレンジを有する前記画像のひな型を、第２のダイナミックレンジを有する前記画像から決定するステップと、
−  前記第２のひな型と第２のダイナミックレンジを有する前記画像との間の変換マップを決定するステップと、
−  前記変換マップを前記第１のひな型に適用し、第１のダイナミックレンジを有する前記画像を生成するステップと、
を含む、付記１７に記載の非一時的なコンピュータ可読媒体。
［付記１９］
第１のダイナミックレンジを有する前記画像を生成するステップは、第１のダイナミックレンジを有するアップサンプリングされた画像を生成するために、第２のダイナミックレンジを有する前記画像をアップサンプリングすることをさらに含む、付記１７又は１８に記載の非一時的なコンピュータ可読媒体。